(57)【特許請求の範囲】
【請求項１】
投入した塊状雪を融かす融雪槽と、該融雪槽内の塊状雪を撹拌搬送する２列の水平支持された撹拌装置と、前記融雪槽内の塊状雪に温水を噴射するための複数の噴射ノズルからなる温水供給装置とからなる融雪機において、前記撹拌装置は、回転速度を異ならせて同方向に回転自在に支持された回転軸と、該回転軸の外周に固定された撹拌筒と、該撹拌筒の外周面に適宜間隔で半径方向に多数個突出固定された支持棒と、該支持棒の先端に前記回転軸方向に沿って固定され、水平に対し左傾斜した左傾斜板、水平に対し右傾斜した右傾斜板及び水平な水平板とをそれぞれ配置してなることを特徴とする融雪機。
【請求項２】
前記撹拌筒を長さ方向に３区分し、３区分の中間区分には、水平な水平板を固定した支持棒を配置し、左右両側区分には、撹拌中に塊状雪を中央に搬送するように水平に対し左傾斜させた左傾斜板及び水平に対し右傾斜させた右傾斜板を固定した支持棒をそれぞれ配置したことを特徴とする請求項１記載の融雪機。
【発明の詳細な説明】
【０００１】
【発明の属する技術分野】
本発明は、融雪槽へ投入した塊状雪に直接温水を噴射すると共に、融雪槽中で撹拌搬送することにより塊状雪を融かすことができる融雪機に関する。
【０００２】
【従来の技術】
従来、積雪地方では、降り積もった雪を処理するために、主に除雪を行っているが、除雪した雪の捨て場がない場合には、除雪した塊状雪を駐車場の隅などに山のように積んだりしている。
これを解消するため、雪を融かす融雪機を使用することが特開２０００−１１０１３５号公報等により公知となっている。
上記公知技術は、図４に示すように、投雪槽（１２）を備え、投雪槽（１２）内には、投入された雪を投雪槽（１２）の中央部に集めるための集雪装置（１４）が設けられており、投雪槽（１２）に隣接して配置され、投雪槽（１２）からの雪が送り込まれる中間槽（２２）と、中間槽（２２）の上方に配置され、雪を融かす融雪槽（４０）とを備え、中間槽（２２）内には、投雪槽（１２）から送り込まれた雪を融雪槽（４０）の上方に搬送するための搬送装置（２６）が設けられており、融雪槽（４０）が、円筒形の外壁（４０ａ）と、外壁（４０ａ）との間にリング状空間（４２）を形成する円筒形の内壁（４０ｂ）と、頂壁（４０ｃ）と、底壁（４０ｄ）と、内壁（４０ｂ）と頂壁（４０ｃ）と底壁（４０ｄ）とによって構成される空間を上側空間（４４）と下側空間（４６）に分ける水平方向に延びた隔壁（４０ｅ）とを有し、融雪槽（４０）の上側空間（４４）内には、上側空間（４４）内に送り込まれた雪を破砕するための破砕装置（６０）が設けられており、中間槽（２２）の頂部から融雪槽（４０）の上側空間（４４）内に延びたダクト（２４）と、融雪槽（４０）に隣接して配置され、融雪槽（４０）のリング状空間（４２）及び下側空間（４６）に熱風を送り込む燃焼バーナー（５０）と、融雪槽（４０）のリング状空間（４２）と投雪槽（１２）とを連通させるパイプ（７０）とを備えている融雪機（１０）である。
この融雪機（１０）は、投雪槽（１２）、中間槽（２２）、融雪槽（４０）及び燃焼バーナー（５０）を備え、熱風により融雪するものであり、かつ集雪装置（１４）、搬送装置（２６）、破砕装置（６０）を必要とする複雑な構造のため、より簡単な構造で効率よく融雪できる融雪機が望まれていた。
【０００３】
【発明が解決しようとする課題】
そこで、本発明は、融雪槽へ投入した塊状雪に直接温水を噴射すると共に、融雪槽中で撹拌搬送することにより塊状雪を融かすことができる融雪機を提供することを目的とする。
【０００４】
【課題を解決するための手段】
そのために、本発明の融雪機は、投入した塊状雪を融かす融雪槽と、該融雪槽内の塊状雪を撹拌搬送する２列の水平支持された撹拌装置と、前記融雪槽内の塊状雪に温水を噴射するための複数の噴射ノズルからなる温水供給装置とからなる融雪機において、前記撹拌装置は、回転速度を異ならせて同方向に回転自在に支持された回転軸と、該回転軸の外周に固定された撹拌筒と、該撹拌筒の外周面に適宜間隔で半径方向に多数個突出固定された支持棒と、該支持棒の先端に前記回転軸方向に沿って固定され、水平に対し左傾斜した左傾斜板、水平に対し右傾斜した右傾斜板及び水平な水平板とをそれぞれ配置してなるものである。
また、前記撹拌筒を長さ方向に３区分し、３区分の中間区分には、水平な水平板を固定した支持棒を配置し、左右両側区分には、撹拌中に塊状雪を中央に搬送するように水平に対し左傾斜させた左傾斜板及び水平に対し右傾斜させた右傾斜板を固定した支持棒をそれぞれ配置したものである。
【０００５】
【実施例】
以下、本発明の一実施例を図面に基づいて説明する。
本発明の融雪機は、図１の平面図に示すように、投入した塊状雪を融かす融雪槽１と、該融雪槽１に投入された塊状雪を撹拌する撹拌装置２と、前記融雪槽１の上部に配設され、投入された塊状雪に温水を噴射する温水供給装置３とからなる。
前記融雪槽１は、図２に示すように、円筒体、例えばドラム缶を縦に２分割した半円筒体４を曲面部が底部となるように横置きに配置し、左右の端部を支持脚５により所定高さ位置に保持したものである。
なお、前記融雪槽底部の形状は、これに限定されるものでなく、楕円形状や三角形状のものであっても良い。
そして、図３の側面図に示すように、右端部側には、前記撹拌装置２が水没する高さ位置に軸受孔６を並列に２個形成し、さらに右端部下部には融けた雪、すなわち融雪水を前記温水供給装置３に戻す循環パイプ孔７を形成する。
一方、左端部側には、図２に示すように、撹拌装置２が水没する高さ位置に同様に軸受孔６を並列に２個形成し、それぞれの左右端の軸受孔６間に撹拌装置２を架設することができる。
また、塊状雪を融雪槽１に投入すると融雪水が増水するので、融雪槽１の長手方向の上部周縁両側に溢水口８を設けて、一部の融雪水を融雪槽１の溢水口８から溢れさせて排水する。
【０００６】
前記撹拌装置２は、図１に示すように、前記融雪槽１に軸受９を取付け、該軸受９に回転自在に並列支持された回転軸１０と、該回転軸１０の外周に固定された撹拌筒１１と、該撹拌筒１１の外周面に適宜間隔で半径方向に突出固定された支持棒１２と、該支持棒１２の先端に前記回転軸方向に沿ってそれぞれ固定された左傾斜板１３、右傾斜板１４及び水平板１５とからなる。
前記撹拌装置２の左端部軸受９外側のそれぞれの回転軸１０には、それぞれ小径プーリー１６、中径プーリー１７を設けて、該小径プーリー１６、中径プーリー１７間にベルト１８を張設し、さらに中径プーリー１７側の回転軸１０を延長して大径プーリー１９を設ける。
そして、モータ２０から減速機２１を介して、減速機２１のプーリー２２と大径プーリー１９とをベルト１８で連結し、モータ２０の回転を大径プーリー１９に伝動するようになっている。
したがって、モータ２０から減速機２１に回転が伝えられ、さらに減速機２１から大径プーリー１９に伝えられて大径プーリー１９側の撹拌筒１１が回転させられ、同時に中径プーリー１７も回転させられるので、ベルト１８を介して連結されている小径プーリー１６が回転させられる。
こうして、融雪槽１に並列に配設された中径プーリー１７及び小径プーリー１６が同方向に回転し、プーリー径の大小により小径プーリー１６側の撹拌筒１１が前記中径プーリー１７側の撹拌筒１１より高速で回転させられる。
また、前記撹拌筒１１の長さ方向に３区分し、３区分の中間には、撹拌筒１１の軸方向と一致する水平板１５を先端に固定した支持棒１２が配置され、水平板１５を固定した支持棒１２の左右両側には、撹拌中に塊状雪を中央に搬送するように撹拌筒１１の軸方向に対し左傾斜させた左傾斜板１３及び右傾斜させた右傾斜板１４を先端に固定した支持棒１２がそれぞれ配置される。
【０００７】
前記温水供給装置３は、融雪槽１の長手方向の上部周縁両側に配置された融雪パイプ２３と、該融雪パイプ２３から所定間隔で分岐され、前記融雪槽１内の塊状雪に温水を噴射するための複数の噴射ノズル２４と、ボイラー２５で加熱された融雪水を前記融雪パイプ２３へ供給するための温水パイプ２６と、融雪槽１の下部から融雪水を循環タンク２７へ戻すための循環パイプ２８と、循環タンク２７に戻された融雪水を冷水パイプ２９を介してボイラー２５に供給するためのポンプ３０と、循環タンク２７に戻された融雪水を加熱し、温水を形成するためのボイラー２５とからなる。
なお、３１は、ボイラー２５へ石油等の燃料を供給するための燃料タンクである。
塊状雪を融雪槽１で融かされた融雪水は、融雪槽１下部の循環パイプ２８から循環タンク２７に戻され、ポンプ３０により冷水パイプ２９からボイラー２５に供給されて温水となる。
そして、温水パイプ２６を介して融雪槽１の長手方向の上部周縁両側に配置された融雪パイプ２３に供給されて複数個所の噴射ノズル２４から温水が噴射され、投入された塊状雪を融かして融雪水となり、再び融雪槽１下部の循環パイプ２８から循環タンク２７に戻される。
なお、一部の融雪水は、塊状雪を融雪槽１に投入することにより融雪槽１の溢水口８から溢れて排水される。
【０００８】
次に、本発明の融雪機の操作動作について、図面に基づいて説明する。
ポンプ３０の作動に支承がないように、予め循環に必要な水を融雪槽１及び循環タンク２７に補充しておき、ボイラー２５に点火してボイラー２５内の貯留水を温水にする。
適宜手段により融雪槽１に塊状雪を投入し、モータ２０を作動させて撹拌筒１１を回転させ、さらにポンプ３０を作動させる。
すると、融雪槽１に投入された塊状雪は、撹拌筒１１の左傾斜板１３及び右傾斜板１４により撹拌されつつ中央部へ搬送されて融かされると共に、融雪パイプ２３の噴射ノズル２４から噴射される温水により直接融かされる。
すなわち、融雪槽１に投入された塊状雪は、除雪等によって集められたものであり、融雪槽１内に投入された時には氷山の如く水面近くに浮かんで、左傾斜板１３及び右傾斜板１４により沈められたり、掬い上げられたりされながら左傾斜板１３及び右傾斜板１４の傾斜面に沿って中央部へ搬送され、塊状雪が融かされる。
また、並列状の撹拌筒１１は、それぞれ回転速度が異なっているので、撹拌及び搬送動作が効率的に行われ、塊状となっている雪の崩壊を促進しつつ搬送され、塊状雪が融けるのを補助している。
融けた塊状雪、すなわち融雪水の一部は、融雪槽１の長手方向の上部周縁両側の溢水口８から外部へ排出され、残りの大部分は、融雪槽１下部の循環パイプ２８を経由して循環タンク２７に戻る。
そして、融雪水は循環タンク２７からポンプ３０により冷水パイプ２９を介してボイラー２５に送られ、再び温水となって温水パイプ２６から融雪パイプ２３に送られ、噴射ノズル２４から融雪槽１の塊状雪に噴射されて融かされる。
【０００９】
【効果】
以上述べた如く、本発明の融雪機によれば、融雪槽へ投入した塊状雪に直接温水を噴射すると共に、融雪槽中で撹拌搬送することにより塊状雪を融かすことができるので、より簡単な構造で効率よく融雪することができる。
【図面の簡単な説明】
【図１】本発明の融雪機の平面図である。
【図２】本発明の融雪槽の斜視図である。
【図３】本発明の融雪槽の側面図である。
【図４】従来の融雪機の縦断面図である。
【符号の説明】
１  融雪槽
２  撹拌装置
３  温水供給装置
４  半円筒体
５  支持脚
６  軸受孔
７  循環パイプ孔
８  溢水口
９  軸受
１０  回転軸
１１  撹拌筒
１２  支持棒
１３  左傾斜板
１４  右傾斜板
１５  水平板
１６  小径プーリー
１７  中径プーリー
１８  ベルト
１９  大径プーリー
２０  モータ
２１  減速機
２２  プーリー
２３  融雪パイプ
２４  噴射ノズル
２５  ボイラー
２６  温水パイプ
２７  循環タンク
２８  循環パイプ
２９  冷水パイプ
３０  ポンプ
３１  燃料タンク
【図１】
0003628304.tif 000002
【図２】
0003628304.tif 000003
【図３】
0003628304.tif 000004
【図４】
0003628304.tif 000005